(57)【要約】【課題】散熱モジュールの設計により迅速に散熱可能で、しかも別に散熱面積を拡大することができるため、最適な散熱効果を備える通信機ケース散熱装置を提供する。【解決手段】収容設置空間21を備える本体2、及び複数の散熱フィン23と少なくとも１つの第二熱導管32を備える少なくとも１つの散熱モジュール3からなり、該収容設置空間21は、少なくとも１つの受熱部211と少なくとも１つの散熱部212に区分され、該第一熱導管ユニット213は収容設置空間21内に設置し、該第一熱導管ユニット213は受熱部211及び散熱部212に連接し、これにより該受熱部211が吸收した熱は該散熱部212に伝導され散熱され、該第二熱導管32は該本体2の散熱部212及び各散熱フィン23に連接し、これにより該本体2は散熱部212の熱を該散熱モジュール3に伝え散熱を行なうことができる。【選択図】図４
0003150523.tif 000002
【実用新案登録請求の範囲】
【請求項１】
通信機ケース散熱装置であって、
収容設置空間を備えた本体、及び複数の散熱フィンと少なくとも１つの第二熱導管を備えた少なくとも１つの散熱モジュールからなり、
該収容設置空間内は、少なくとも１つの受熱部、少なくとも１つの散熱部に区分され、しかも第一熱導管ユニットは、該収容設置空間内に設置され、これにより該第一熱導管ユニットは、該受熱部及び該散熱部に連接し、該受熱部が吸收した熱を該散熱部に伝導し散熱し、
該第二熱導管は、該本体及び該各散熱フィンに連接し、該本体に伝えた熱を該散熱モジュールに伝え散熱したことを特徴とする、通信機ケース散熱装置
【請求項２】
前記第二熱導管は、少なくとも１つの第二吸熱端、及び少なくとも１つの第二散熱端を備え、該第二吸熱端は、該本体の片側に連接し、該第二散熱端は、該各散熱フィンに穿接したことを特徴とする、請求項１記載の通信機ケース散熱装置。
【請求項３】
前記本体は、該散熱モジュールの片側に相対し、伝熱部を設置し、該散熱モジュールを連接し、該伝熱部は、少なくとも１つの第一伝導端及び少なくとも１つの第二伝導端を備え、該第一伝導端は、第一熱導管ユニットに伝導した熱を、該第二伝導端を通して散熱モジュールに伝え散熱したことを特徴とする、請求項１記載の通信機ケース散熱装置。
【請求項４】
前記受熱部は、少なくとも１つの第一凸体を備え、相対する少なくとも１つの発熱部品と接触し、熱い区域を形成したことを特徴とする、請求項１記載の通信機ケース散熱装置。
【請求項５】
前記第一熱導管ユニットは、複数の第一熱導管を備え、該各第一熱導管は、第一吸熱端及び第一散熱端を備え、該第一吸熱端は第一凸体に隣接し、第一散熱端は第一凸体から離れたことを特徴とする、請求項４記載の通信機ケース散熱装置。
【請求項６】
前記散熱部は、第一散熱部、第二散熱部、第三散熱部、第四散熱部、第五散熱部を備え、相互に連通し冷たい区域を形成し、該第一散熱部は、該収容設置空間の底面に設置し、受熱部から離れる方向に向かい、該第二、三、四、五散熱部は、該収容設置空間周囲を取り囲んで設置したことを特徴とする、請求項１記載の通信機ケース散熱装置。
【請求項７】
前記収容設置空間には、少なくとも１つの基板を収容設置し、発熱部品は、該基板に設置したことを特徴とする、請求項４記載の通信機ケース散熱装置。
【請求項８】
前記収容設置空間は、少なくとも１つの凹槽を備え、これにより該第一熱導管ユニットを収容設置し、しかも該凹槽の一部は該第一凸体及び該受熱部周囲に隣接し、他の部分は、該散熱部及び該本体の周囲に隣接したことを特徴とする、請求項１記載の通信機ケース散熱装置。
【請求項９】
前記本体外側には、複数の散熱フィンを備え、該各散熱フィンは、該本体の収容設置空間と反対の表面に設置したことを特徴とする、請求項１記載の通信機ケース散熱装置。
【請求項１０】
前記収容設置空間は、さらに少なくとも１つのサポート部品、及び少なくとも１つの導熱部品を含み、
該サポート部品は、該本体の収容設置空間内に設置し、これにより該基板を支え、
該少なくとも１つの導熱部品は、相互に隣接する２枚の基板間に設置し、しかも該導熱部品の両側には、それぞれ少なくとも１つの第二凸体を備え、延伸して該基板上の発熱部品に対応して接触し、熱い区域を形成したことを特徴とする、請求項７記載の通信機ケース散熱装置。
【請求項１１】
前記導熱部品は、第三熱導管ユニットを含み、該第三導熱管ユニットは、複数の第三熱導管を備え、該各第三熱導管は、該第二凸体に隣接する第三吸熱端、及び該第二凸体から離れた第三散熱端を備え、該第三吸熱端が吸收した熱を、該第三散熱端を通して、該散熱部に伝え散熱したことを特徴とする、請求項１０記載の通信機ケース散熱装置。
【請求項１２】
前記本体はさらに、蓋体を接続し、該蓋体の片側は、該収容設置空間に相対し、しかも少なくとも１つの第三凸体を備え、該蓋体は、該収容設置空間の反対側に、複数の散熱フィンを設置し、該第三凸体は突出し、該発熱部品に接触し、熱い区域を形成したことを特徴とする、請求項１記載の通信機ケース散熱装置。
【請求項１３】
前記蓋体は、第四熱導管ユニットを備え、該第四熱導管ユニットは、複数の第四熱導管を備え、該各第四熱導管は、該第三凸体に隣接する第四吸熱端、及び該第三凸体から離れた第四散熱端を備え、該第四吸熱端は吸收した熱を該第四散熱端を通して、それぞれ該蓋体上の散熱フィン及び該散熱部に伝達し散熱したことを特徴とする、請求項１１記載の通信機ケース散熱装置。
【請求項１４】
前記本体は、該散熱モジュールの少なくとも片側に相対して伝熱部を設置し、該伝熱部は該散熱モジュールに連接して対応し、該伝熱部は少なくとも１つの第一伝導端及び少なくとも１つの第二伝導端を備え、該第一伝導端が該第一熱導管ユニットに伝導した熱を、該第二伝導端を通して該散熱モジュールに伝え、散熱を行ったことを特徴とする、請求項１記載の通信機ケース散熱装置。
【考案の詳細な説明】
【技術分野】
【０００１】
本考案は、通信機ケースに関し、特に少なくとも１つの散熱モジュールにより迅速に散熱でき、さらに別に散熱面積を拡大することができる通信機ケース散熱装置に関するものである。
【背景技術】
【０００２】
電子通信設備は、通常は通信機ケース内に設置するが、これら設備は作動時に熱を発生する。
しかも、通信機ケースは封鎖体であり、その材質は一般的には金属で、一体成型鋳造技術により製造するが、現行の鋳造技術に限界があるため、材質の導熱係数は十分ではない。
そのため、電子設備が発する熱は、ケース本体内の局部区域に溜まり、局部区域の温度は高くなり、しかも散熱は容易ではない。
これにより、電子パーツの耐熱温度を超えてしまい、電子設備の信頼性と使用寿命に悪影響を及ぼす。
しかし、発熱電子パーツから離れたケース本体内の他の大部分の区域内の温度は、電子設備と接触する局部区域の温度に比べ非常に低い。
つまり、ケース本体内の温度は極めて不均衡で、これがケース全体の散熱性能に直接的な影響を及ぼしているのである。
上記問題に対して、一般的には、ケース本体を大きくし、或いはケース本体材質を変える等の方法が取られているが、これによりケース本体の重量が過大になる等の技術的な問題が新たに派生している。
よって、ケース本体の大きさと重量を変えずに、いかにしてその散熱性能を向上させるかは、重要な課題である。
【０００３】
図１は従来の通信機ケースの分解模式図である。図１に示すように、通信機ケースは殼体10、蓋体11、複数のサポート柱12、基板13からなり、該殼体10は収容収納空間101及び複数の散熱フィン103を備える。
該各散熱フィン103は、該殼体10の収容収納空間101に反対の表面に設置する。
該各サポート柱12は、該収容収納空間101の殼体10に隣接する一端に設置し、しかも、該基板13に対応する。
該蓋体11は、該基板13に対応して、嵌設し、これにより該蓋体11は、該収容収納空間101内にちょうど収容設置され相互に結合する。
【０００４】
これにより、通信機ケース内の基板13が作動すると、該基板13上の複数の発熱部品131(チップ、CPU或いは他のIC)は、演算処理により極めて高温の熱を発生する。
しかし、熱を該殼体10上へと伝導し、該殼体10上の各散熱フィン103を通して、いささかの熱を放射方式で外へと拡散し発散することができるのみであるため、熱は該収容収納空間101内にこもり素早く排出することができない。
なぜなら、該基板13上の発熱部品131には、熱導管或いは導熱部品等の一切の他の伝導媒介がないためで、このため該発熱部品131が発生する熱を即時に各散熱フィン103に伝達し散熱を行なう、ということはできない。
よって、通信機ケース内の熱は、なかなか外部へと排出されず、これにより該発熱部品131は、演算処理中にしばしばシャットダウンしてしまい、或いは通信信号の品質が不良となり、ひどい場合には、該発熱部品131が損壊し、使用寿命が短縮されてしまう。
【０００５】
以上のように、従来の通信機ケースには以下のような欠点が存在する。
1.  散熱効果が不良である。
2.  シャットダウン現象が発生し易い。
3.  通信信号の品質が不良である。
4.  使用寿命を短縮してしまう。
5.  損壊率が高い。
本考案は、従来の通信機ケースの上記した欠点に鑑みてなされたものである。
【先行技術文献】
【特許文献】
【０００６】
【特許文献１】特開２００３−２０９３８５号公報
【考案の概要】
【考案が解決しようとする課題】
【０００７】
本考案が解決しようとする第一の課題は、少なくとも１つの散熱モジュールを設置し、これにより極めて優れた散熱効果を達成可能な通信機ケース散熱装置を提供することである。
本考案が解決しようとする第二の課題は、別に散熱面積を拡大することができる通信機ケース散熱装置を提供することである。
本考案が解決しようとする第三の課題は、通信信号品質の安定を維持可能な通信機ケース散熱装置を提供することである。
本考案が解決しようとする第四の課題は、使用寿命を向上させることができる通信機ケース散熱装置を提供することである。
【課題を解決するための手段】
【０００８】
上記課題を解決するため、本考案は下記の通信機ケース散熱装置を提供する。
通信機ケース散熱装置は、収容設置空間を備える本体、及び複数の散熱フィンと少なくとも１つの第二熱導管を備える少なくとも１つの散熱モジュールからなり、該本体内は少なくとも１つの受熱部、少なくとも１つの散熱部に区分され、しかも第一熱導管ユニットは該本体の収容設置空間内に設置され、該第一熱導管ユニットは該受熱部及び該散熱部に連接し、該受熱部が吸收した熱を該散熱部に伝達し散熱し、該第二熱導管は該本体及び該各散熱フィンに連接し、該本体に伝えた熱を該散熱モジュールにさらに伝え散熱を行なう。
【０００９】
すなわち、請求項１の考案は、通信機ケース散熱装置であって、収容設置空間を備えた本体、及び複数の散熱フィンと少なくとも１つの第二熱導管を備えた少なくとも１つの散熱モジュールからなり、該収容設置空間内は、少なくとも１つの受熱部、少なくとも１つの散熱部に区分され、しかも第一熱導管ユニットは、該収容設置空間内に設置され、これにより該第一熱導管ユニットは、該受熱部及び該散熱部に連接し、該受熱部が吸收した熱を該散熱部に伝導し散熱し、該第二熱導管は、該本体及び該各散熱フィンに連接し、該本体に伝えた熱を該散熱モジュールに伝え散熱したことを特徴とする。
【００１０】
請求項２の考案は、請求項１記載の通信機ケース散熱装置において、前記第二熱導管は、少なくとも１つの第二吸熱端、及び少なくとも１つの第二散熱端を備え、該第二吸熱端は、該本体の片側に連接し、該第二散熱端は、該各散熱フィンに穿接したことを特徴とする。
請求項３の考案は、請求項１記載の通信機ケース散熱装置において、前記本体は、該散熱モジュールの片側に相対し、伝熱部を設置し、該散熱モジュールを連接し、該伝熱部は、少なくとも１つの第一伝導端及び少なくとも１つの第二伝導端を備え、該第一伝導端は、第一熱導管ユニットに伝導した熱を、該第二伝導端を通して散熱モジュールに伝え散熱したことを特徴とする。
請求項４の考案は、請求項１記載の通信機ケース散熱装置において、前記受熱部は、少なくとも１つの第一凸体を備え、相対する少なくとも１つの発熱部品と接触し、熱い区域を形成したことを特徴とする。
請求項５の考案は、請求項４記載の通信機ケース散熱装置において、前記第一熱導管ユニットは、複数の第一熱導管を備え、該各第一熱導管は、第一吸熱端及び第一散熱端を備え、該第一吸熱端は第一凸体に隣接し、第一散熱端は第一凸体から離れたことを特徴とする。
【００１１】
請求項６の考案は、請求項１記載の通信機ケース散熱装置において、前記散熱部は、第一散熱部、第二散熱部、第三散熱部、第四散熱部、第五散熱部を備え、相互に連通し冷たい区域を形成し、該第一散熱部は、該収容設置空間の底面に設置し、受熱部から離れる方向に向かい、該第二、三、四、五散熱部は、該収容設置空間周囲を取り囲んで設置したことを特徴とする。
請求項７の考案は、請求項１記載の通信機ケース散熱装置において、前記収容設置空間には、少なくとも１つの基板を収容設置し、発熱部品は、該基板に設置したことを特徴とする。
請求項８の考案は、請求項１記載の通信機ケース散熱装置において、前記収容設置空間は、少なくとも１つの凹槽を備え、これにより該第一熱導管ユニットを収容設置し、しかも該凹槽の一部は該第一凸体及び該受熱部周囲に隣接し、他の部分は、該散熱部及び該本体の周囲に隣接したことを特徴とする。
請求項９の考案は、請求項１記載の通信機ケース散熱装置において、前記本体外側には、複数の散熱フィンを備え、該各散熱フィンは、該本体の収容設置空間と反対の表面に設置したことを特徴とする。
請求項１０の考案は、請求項７記載の通信機ケース散熱装置において、前記収容設置空間は、さらに少なくとも１つのサポート部品、及び少なくとも１つの導熱部品を含み、該サポート部品は、該本体の収容設置空間内に設置し、これにより該基板を支え、該少なくとも１つの導熱部品は、相互に隣接する２枚の基板間に設置し、しかも該導熱部品の両側には、それぞれ少なくとも１つの第二凸体を備え、延伸して該基板上の発熱部品に対応して接触し、熱い区域を形成したことを特徴とする。
【００１２】
請求項１１の考案は、請求項１０記載の通信機ケース散熱装置において、前記導熱部品は、第三熱導管ユニットを含み、該第三導熱管ユニットは、複数の第三熱導管を備え、該各第三熱導管は、該第二凸体に隣接する第三吸熱端、及び該第二凸体から離れた第三散熱端を備え、該第三吸熱端が吸收した熱を、該第三散熱端を通して、該散熱部に伝え散熱したことを特徴とする。
請求項１２の考案は、請求項１記載の通信機ケース散熱装置において、前記本体はさらに、蓋体を接続し、該蓋体の片側は、該収容設置空間に相対し、しかも少なくとも１つの第三凸体を備え、該蓋体は、該収容設置空間の反対側に、複数の散熱フィンを設置し、該第三凸体は突出し、該発熱部品に接触し、熱い区域を形成したことを特徴とする。
請求項１３の考案は、請求項１１記載の通信機ケース散熱装置において、前記蓋体は、第四熱導管ユニットを備え、該第四熱導管ユニットは、複数の第四熱導管を備え、該各第四熱導管は、該第三凸体に隣接する第四吸熱端、及び該第三凸体から離れた第四散熱端を備え、該第四吸熱端は吸收した熱を該第四散熱端を通して、それぞれ該蓋体上の散熱フィン及び該散熱部に伝達し散熱したことを特徴とする。
請求項１４の考案は、請求項１記載の通信機ケース散熱装置において、前記本体は、該散熱モジュールの少なくとも片側に相対して伝熱部を設置し、該伝熱部は該散熱モジュールに連接して対応し、該伝熱部は少なくとも１つの第一伝導端及び少なくとも１つの第二伝導端を備え、該第一伝導端が該第一熱導管ユニットに伝導した熱を、該第二伝導端を通して該散熱モジュールに伝え、散熱を行ったことを特徴とする。
【考案の効果】
【００１３】
本考案の散熱モジュールによれば、迅速な散熱が可能で、しかも別に散熱面積を拡大することができるため、通信機ケース散熱装置は最適な散熱効果を備える。
【図面の簡単な説明】
【００１４】
【図１】従来の通信機ケースの分解模式図である。
【図２】本考案本体構造の分解模式図である。
【図３】本考案蓋体構造の分解模式図である。
【図４】本考案最適実施例の分解模式図である。
【図５】本考案最適実施例の組合せ模式図である。
【図６】本考案の本体及び散熱モジュールの図５での横からの俯瞰模式図である。
【考案を実施するための形態】
【００１５】
以下に図面を参照しながら本考案を実施するための最良の形態について詳細に説明する。
図２、６に示すように、本考案通信機ケース散熱装置は、収容設置空間21及び複数の散熱フィン23を備える本体2、及び複数の散熱フィン31及び少なくとも１つの第二熱導管32を備える少なくとも１つの散熱モジュール3から構成する。
【００１６】
該各散熱フィン23は、該本体2の収容設置空間21と反対の表面に設置し、該収容設置空間21内は、少なくとも１つの受熱部211と少なくとも１つの散熱部212に区分される。しかも、該第一熱導管ユニット213は該収容設置空間21内に設置され、該第一熱導管ユニット213は受熱部211及び散熱部212に連接し、該受熱部211が吸收した熱を散熱部212に伝え散熱する。
【００１７】
該第二熱導管32は、該本体2及び該各散熱フィン31に連接し、該本体2に伝えた熱を散熱モジュール3に伝え散熱を行なう。しかも、該第二熱導管32は、少なくとも１つの第二吸熱端321及び少なくとも１つの第二散熱端322を備え、該第二吸熱端321は該本体2の片側に連接し、該第二散熱端322は該各散熱フィン31に穿接する。
【００１８】
これにより、該第一熱導管2130の第一散熱端2132が受け取った熱は、該第二熱導管32の第二吸熱端321へと迅速に伝えられ、該第二吸熱端321は吸收した熱を該第二散熱端322上へと導引し、こうして該第二散熱端322は、熱をその上に穿接する該各散熱フィン31に伝え散熱する。しかも、該第一熱導管ユニット213は、複数の第一熱導管2130を備え、該各第一熱導管2130は、該第一吸熱端2131に隣接する第一凸体2111と該第一散熱端2132から離れた第一凸体2111を備え、該第一吸熱端2131が吸收した熱を該第一散熱端2132に伝え散熱する。
【００１９】
すなわち、該第一吸熱端2131は受熱部211が吸収して集めた熱を該第一散熱端2132に迅速に伝導し、これにより該第一散熱端2132は受け取った熱を本体2外に接続する散熱モジュール3に導引し、迅速に散熱し、さらに、熱を該散熱部212に伝え散熱する。
よって、該第一熱導管ユニット213は熱を、該散熱モジュール3及び該散熱部212上に効果的に集中させ、迅速に排出することができる。
【００２０】
続いて、図２、３、４、５、６に合わせて示すように、該本体2は、該散熱モジュール3の少なくとも片側に相対して伝熱部4を設置する。
該伝熱部4は該散熱モジュール3に連接して対応し、該伝熱部4は少なくとも１つの第一伝導端41及び少なくとも１つの第二伝導端42を備える。
【００２１】
該第一伝導端41は第一熱導管ユニット213に伝導した熱を、該第二伝導端42を通して該散熱モジュール3に伝え散熱する。
すなわち、該第一伝導端41は該第一熱導管2130の第一散熱端2132が受け取った熱を、該第二伝導端42に伝達し、該第二伝導端42は受け取った熱を集めて、該第二吸熱端321上に導引する。
【００２２】
次に、該第二吸熱端321は、受け取った熱を該第二散熱端322に伝え、これにより該第二散熱端322は熱をその上に穿接する該各散熱フィン31に均等に分散し散熱する。
該受熱部211は、少なくとも１つの第一凸体2111を備え、該第一凸体2111は、相対する少なくとも１つの発熱部品61と接触し、熱い区域(ホットエリア)Ｈを形成する。
該第一凸体2111は、該発熱部品61が発する熱を吸収するため、この区域は、該収容設置空間21内において比較的高温となり、熱い区域Ｈを形成する。
【００２３】
該散熱部212は、第一散熱部2121、第二散熱部2122、第三散熱部2123、第四散熱部2124、第五散熱部2125から構成し、相互に連通し冷たい区域(クールエリア)Ｌを形成する。
冷たい区域Ｌは、熱い区域Ｈから離れ、いかなる発熱部品61とも接触しない。これにより、この区域は該収容設置空間21内で比較的低温の散熱区域を形成する。
該第一散熱部2121は、該収容設置空間21の底面に、該受熱部211から離れた方向に向かい設置する。
【００２４】
該第二、三、四、五散熱部2122、2123、2124、2125は、該収容設置空間21周囲を取り囲んで設置し、すなわち該第二散熱部2122の両側は、それぞれ該第三散熱部2123及び該第五散熱部2125に対応する片側に連接する。
該第三散熱部2123及び該第五散熱部2125の反対側は、該第四散熱部2124に相対する両側と相互に連接し、これにより該第二、三、四、五散熱部2122、2123、2124、2125は、該収容設置空間21周囲を取り囲み設置される。
【００２５】
該収容設置空間21は、少なくとも１つの凹槽214を備え、これにより該各第一熱導管2130を収容して設置する。
しかも、該凹槽214の一部は、該第一凸体2111及び該受熱部211周囲に隣接し、反対側部分は、該散熱部212及び該本体2周囲に隣接する。
【００２６】
つまり、該凹槽214の一部は、該第一熱導管2130の第一吸熱端2131に従い、該第一凸体2111及び該受熱部211周囲を取り囲み、該凹槽214の他の部分は、該第一凸体2111から離れ、該第一熱導管2130の第一散熱端2132に従い、延伸して、該散熱部212及び該本体2に接触する。しかも、該収容設置空間21には、少なくとも１つの基板6を収容して設置し、該基板6上には発熱部品61を設置する。
【００２７】
さらに、図４に示すように、該収容設置空間21は、さらに少なくとも１つのサポート部品及び少なくとも１つの導熱部品216を備える。
該各サポート部品は、該本体2の収容設置空間21内に設置し、該各サポート部品は該基板6を支え、これにより該基板6は、該収容設置空間21に安定的に固定される。
さらには、該各サポート部品により、該基板6が発する熱を該本体2へと伝導し、該本体2は、その上の散熱フィン23を通して、熱を放射方式で外へと拡散し散熱する。
【００２８】
該導熱部品216は、相互に隣接する２枚の基板6間に設置し、しかもその一端は、該収容設置空間21に相対する内側と相互に緊密に接触する。しかも、該導熱部品216の両側には、それぞれ少なくとも１つの第二凸体2162を備え、該各第二凸体2162は延伸して、該各基板6上の発熱部品61を押さえる。
並びに、熱い区域Ｈを形成し、しかも該第二凸体2162は、該各基板6上の発熱部品61が発生する熱を吸収する。
【００２９】
次に、該導熱部品216は、第三熱導管ユニット2163を備え、該第三熱導管ユニット2163は、複数の第三熱導管2164を備える。
該各第三熱導管2164は、該第二凸体2162に隣接する第三吸熱端2165、及び該第二凸体2162から離れた第三散熱端2166を備える。
該第三吸熱端2165は、吸收した熱を、該第三散熱端2166を通して該散熱部212に伝達して散熱し、これにより該第二凸体2162が吸收した発熱部品61の熱は、該第三吸熱端2165を通して、該第三散熱端2166に伝達される。
【００３０】
該第三散熱端2166は、受け取った熱を該散熱部212に伝え、該散熱部212は放射方式で、外部へと拡散し散熱する。
さらに、該本体2上の散熱フィン23により補助散熱を行なうが、やはり主要な散熱は、該第一、二、三、四、五散熱部2121、2122、2123、2124、2125による放射方式での外部への拡散で、しかも、外の空気と、熱交換散熱を行なう。
【００３１】
また、図３，４に示すように、該本体2は、さらに蓋体7を設置し、該蓋体7の片側は該収容設置空間21に相対し、しかも、少なくとも１つの第三凸体71及び少なくとも１つの第四熱導管ユニット72を備え、該蓋体7の該収容設置空間21の反対側には、複数の散熱フィン73を設置する。
該第三凸体71は、突出して該発熱部品61に接触し、熱い区域Ｈを形成し、これにより対応する基板6上の発熱部品61が発生する熱を吸収する。
【００３２】
該第四熱導管ユニット72は、複数の第四熱導管720を備え、該各第四熱導管720は、該第三凸体71に隣接する第四吸熱端721、該第三凸体71から離れた第四散熱端722を備える。該第四吸熱端721は、吸收した熱を、該第四散熱端722を通して、それぞれ該蓋体7上の散熱フィン73及び散熱部212に伝え散熱する。
こうして、該第三凸体71は該発熱部品61の熱を吸収し、該第四吸熱端721を通して。熱を第四散熱端722に伝え、該第四散熱端722は、受け取った熱をそれぞれ該散熱部212及び該蓋体7上の散熱フィン73に伝え散熱する。
【００３３】
次に図４、５、６に示すように、以下に本考案の実施例について記載する。
通信機ケース内の基板6が作動すると、該基板6の発熱部品61高熱を発する。
該受熱部211の第一凸体2111は、対応する基板6の発熱部品61が発生する熱を吸収し、該第一熱導管2130の第一吸熱端2131により、該熱を該第一散熱端2132に伝える。
該第一散熱端2132は、受け取った熱を、伝熱部4の第一伝導端41に導引し、該第一伝導端41は、該第二伝導端42を通して、該熱を集中し、該第二熱導管32の第二吸熱端321に伝達する。
該第二吸熱端321は、受け取った熱を、さらに該第二散熱端322に伝え、該第二散熱端322は熱をその上に穿接する各散熱フィン31上に均一に分散して導引する。
【００３４】
こうして、該各散熱フィン31は放射方式で、外部へと拡散し散熱する。
つまり、該第一散熱端2132において、大部分の熱は該散熱モジュール3に伝えられ散熱され、一部の熱は散熱部212 (すなわち、第一、二、三、四、第五散熱部2121、2122、2123、2124、2125) に伝えられ散熱される。
【００３５】
同時に、該導熱部品216の両側の第二凸体2162は、対応する基板6上の発熱部品61の熱を吸収し、該第三熱導管2164の第三吸熱端2165は、熱を該第三散熱端2166に導引する。
該第三散熱端2166は、受け取った熱を、該散熱部212に伝え散熱する。しかも、該散熱部212が散熱すると同時に、該第一伝導端41は、該散熱部212上の熱を迅速に該第二伝導端42に伝え、これにより該第二伝導端42は、受け取った熱を該第二熱導管32の第二吸熱端321に伝える。
【００３６】
こうして、該第二吸熱端321は、熱を該第二散熱端322の上に穿接する各散熱フィン31に伝え、該散熱フィン31は放射方式で、外へと拡散し散熱する。
よって、本考案の散熱モジュール3により、別に散熱面積を拡大することができ、しかも、効果的に該本体2内及びその上の熱を排除することができる。
こうして、通信機ケース内の基板6は安定的に作動し、通信信号の品質は安定し、さらに最適な散熱性能を実現することができる。
【００３７】
上記のように、本考案の通信機ケース散熱装置には、以下のような長所が存在する。
1.  最適な散熱性能を備える。
2.  別に散熱面積を拡大することができる。
3.  熱伝導効率を向上させることができる。
4.  安定的な通信信号の品質を確保可能である。
5.  使用寿命を向上させることができる。
【００３８】
上記は本考案の最適実施例に過ぎず、本考案の上記の方法、形状、構造、装置を利用し行なうすべての改変は、本考案の保護範囲に含むものとする。
【産業上の利用可能性】
【００３９】
本考案は、散熱モジュールの設計により迅速に散熱可能で、しかも別に散熱面積を拡大することができるため、最適な散熱効果を備える。
【符号の説明】
【００４０】
２  本体
２１６６  第三散熱端
２１  収容設置空間 
２３  散熱フィン
２１１  受熱部
２１１１   第一凸体 
２１２  散熱部
２１２１  第一散熱部
２１２２  第二散熱部
２１２３  第三散熱部
２１２４  第四散熱部
２１２５  第五散熱部
２１３  第一熱導管ユニット
２１３０  第一熱導管
３  散熱モジュール
２１３１  第一吸熱端
２１３２  第一散熱端
２１４  凹槽
２１６  導熱部品  
２１６２  第二凸体
２１６３  第三熱導管ユニット
２１６４  第三熱導管
２１６５  第三吸熱端
３１  散熱フィン
３２  第二熱導管
３２１  第二吸熱端
３２２  第二散熱端
４  伝熱部
４１  第一伝導端
４２  第二伝導端
６  基板
６１  発熱部品
７  蓋体
７１  第三凸体  
７２  第四熱導管ユニット
７２０  第四熱導管
７２１  第四吸熱端
７２２  第四散熱端
７３  散熱フィン
Ｈ  熱い区域(ホットエリア)
Ｌ  冷たい区域(クールエリア)
【図１】
0003150523.tif 000003
【図２】
0003150523.tif 000004
【図３】
0003150523.tif 000005
【図４】
0003150523.tif 000006
【図５】
0003150523.tif 000007
【図６】
0003150523.tif 000008